(57)【要約】【課題】腰をマッサージするときに背筋に無理なく腰を大きく持ち上げることができるエアマッサージ装置を提供すること。【解決手段】背筋エアバッグ（エアバッグＡ２）が左右の腰大エアバッグ（エアバッグＡ５，Ａ）の対向端部及び左右の腰小エアバッグ（エアバッグＡ１１〜Ａ１４）の対向端部上に３段になるように重ねられているエアマッサージ装置。【選択図】  図２
2005168954.tif 000002
【特許請求の範囲】
【請求項１】
マット本体と、使用者の背筋に沿うように前記マット本体の左右中央上に細長く延設された背筋エアバッグと、前記使用者の腰に対応するように前記背筋エアバッグの中心線の左右に対称に配設された一対の大きな腰大エアバッグと、前記左右の腰大エアバッグの上にそれぞれ重ねられ且つその腰大エアバッグより小さい左右の腰小エアバッグと、前記各エアバッグにエアを給排気する給排気手段を備えるエアマッサージ装置であって、
前記背筋エアバッグは、前記左右の腰大エアバッグの対向端部及び前記左右の腰小エアバッグの対向端部上に３段になるように重ねられていることを特徴とするエアマッサージ装置。
【請求項２】
前記左右の腰小エアバッグはそれぞれ背筋用のエアバッグの長手方向に複数並設されていることを特徴とする請求項１に記載のエアマッサージ装置。
【請求項３】
前記左右の腰小エアバッグは中心線が使用者の臀部側にずれて配置されていることを特徴とする請求項１に記載のエアマッサージ装置。
【発明の詳細な説明】
【技術分野】
【０００１】
この発明は、マット本体上の左右の側部エアバッグ間に背筋用エアバッグを設けたマット式のマッサージ装置に関するものである。
【背景技術】
【０００２】
従来のマット式のエアマッサージ装置には、マット本体の左右の中央部上に細長く延びる背筋用エアバッグを配設し、背筋用エアバッグと略同じ長さの一対の人体保持用エアバッグを背筋用エアバッグと左右に間隔を置いて平行に配設すると共に、この背筋用エアバッグと左右の人体保持用エアバッグとの間の背中に対応する部分に背中用側部エアバッグをそれぞれ配設し、背筋用エアバッグと左右の人体保持用エアバッグとの間の腰に対応する部分に腰用側部エアバッグをそれぞれ配設したタイプのものが知られている（例えば、特許文献１参照）。
【０００３】
このマッサージ装置では、はじめに左右一対の人体保持用エアバッグを膨張させ、この人体保持用エアバッグの膨張状態を他のエアバッグによるマッサージが終了するまで継続させることにより、左右一対の人体保持用エアバッグで使用者が適正位置からずれないようにしている。
【特許文献１】特開平１０−５７４３６号公報（段落番号「００５０」）
【発明の開示】
【発明が解決しようとする課題】
【０００４】
しかしながら、従来のマッサージ装置にあっては、左右それぞれ一つのエアバッグで腰を持ち上げる構成であるため、腰を大きく持ち上げることができないものであった。
【０００５】
そこで、この発明は、腰をマッサージするときに背筋に無理なく腰を大きく持ち上げることができるエアマッサージ装置を提供することを目的とするものである。
【課題を解決するための手段】
【０００６】
この目的を達成するため、請求項１の発明は、マット本体と、使用者の背筋に沿うように前記マット本体の左右中央上に細長く延設された背筋エアバッグと、前記使用者の腰に対応するように前記背筋エアバッグの中心線の左右に対称に配設された一対の大きな腰大エアバッグと、前記左右の腰大エアバッグの上にそれぞれ重ねられ且つその腰大エアバッグより小さい左右の腰小エアバッグと、前記各エアバッグにエアを給排気する給排気手段を備えるエアマッサージ装置であって、前記背筋エアバッグは、前記左右の腰大エアバッグの対向端部及び前記左右の腰小エアバッグの対向端部上に３段になるように重ねられているエアマッサージ装置としたことを特徴とする。
【発明の効果】
【０００７】
この構成によれば、左右の腰大エアバッグを膨張させることで、左右の腰大エアバッグにより使用者の腰をある程度持ち上げることができ、更に左右の腰小エアバッグを膨張させることで、使用者の腰を更に持ち上げることができる。これにより、腰をマッサージするときに背筋に無理なく腰を大きく持ち上げることができる。
【発明を実施するための最良の形態】
【０００８】
以下、この発明に係るエアマッサージ装置（マット式マッサージ装置）の実施例を図面に基づいて説明する。
【実施例】
【０００９】
図１に示すエアマッサージ装置１０は、マット本体１１と、このマット本体１１に配設された複数のエアバッグＡ１〜Ａ１４と、各エアバッグＡ１〜Ａ１４のエアを給排気する給排気装置２０と、リモートコントロール装置（リモコン装置）３０とを備えている。
【００１０】
マット本体１１は、例えばウレタンホームからなるクッション材で構成され、このクッション材は各エアバッグＡ１〜Ａ１４とともに図示しないカバーによって覆われている。
【００１１】
マット本体１０の下部（図１において）には給排気装置（エア給排気手段）２０が設けられており、その下部の左側に給排気装置２０の駆動部２０Ａが設けられ、その下部の右側に給排気装置２０の制御部２０Ｂが設けられている。この駆動部２０Ａおよび制御部２０Ｂは上記カバーによって覆われている。
【００１２】
エアバッグＡ１は人体の肩に対応した位置に配置されている。また、エアーバックＡ２は、人体（使用者）の背筋に対応するように、マット本体１１の中心線Ｌに沿って細長く延びている。
【００１３】
エアバッグＡ３は人体の太股に対応した位置に配置され、エアバッグＡ４は人体の脹ら脛に対応した位置に配置され、エアバッグ（腰大エアバッグ）Ａ５,Ａ６は人体の腰に対応した位置に配置され大きく形成されている。
【００１４】
エアバッグＡ５,Ａ６は、図１に示したように、中心線Ｌに対して左右対称の位置に配置されてエアバッグＡ２の両側に位置し、平面視でエアバッグＡ５,Ａ６の一部がエアバッグＡ２の下側に重なっている。
【００１５】
エアバッグＡ７〜Ａ１０は、図１に示したように、人体の背中に対応した位置に配置され、エアバッグＡ７,Ａ９とエアバッグＡ８,Ａ１０とが中心線Ｌに対して左右対称位置に配置され、エアバッグＡ７〜Ａ１０の中心線Ｌ側の一部がエアバッグＡ２の下側に重なっている（図２参照）。
【００１６】
エアバッグ（腰小エアバッグ）Ａ１１〜Ａ１４は、図１に示したように人体の腰に対応しており、エアバッグＡ５,Ａ６より小さく形成され、エアバッグＡ１１,Ａ１３とエアバッグＡ１２,Ａ１４とが中心線Ｌに対して左右対称位置に配置されている（図２参照）。
【００１７】
そして、図２に示すようにエアバッグＡ１１,Ａ１３がエアバッグＡ５の上に重ねられており、エアバッグＡ１２,Ａ１４がエアバッグＡ６の上に重ねられている。また、エアバッグＡ１１,Ａ１３の中心線Ｌ側の一部がエアバッグＡ２の下側に重ねられている。同様に、図２に示すようにエアバッグＡ１２,Ａ１４の中心線Ｌ側の一部がエアバッグＡ２の下側に重ねられており、エアバッグＡ５,Ａ６とエアバッグＡ１１〜Ａ１４とエアバッグＡ２とが３段重ねの状態になっている。
【００１８】
即ち、エアバッグＡ２の腰に対応する部分は、エアバッグＡ５，Ａ６の対向端部，エアバッグ１１，１２の対向端部及びエアバッグ１３，１４の対向端部上に３段になるように重ねられている。
【００１９】
しかも、エアバッグ１３，１４の中心線ＢＬ２は、エアバッグ５，６の中心線ＢＬ１からエアバッグＡ３側にずれていて、使用者の腰と臀部との中間に対応させられるようになっている。
【００２０】
給排気装置２０は、図３に示すように、エアーを給気するためのポンプ２１と、エアバッグＡ１〜Ａ１４を膨縮させるための電磁弁Ｖ１〜Ｖ１４と、各電磁弁Ｖ１〜Ｖ１４を制御する制御装置（演算制御回路、制御手段）２２等とを備えている。
【００２１】
各電磁弁Ｖ１〜Ｖ１４は三方弁であり、各電磁弁Ｖ１〜Ｖ１４の弁が第１位置に切り換わるとエアバッグＡ１〜Ａ１４とポンプ２１とが連通して各エアバッグＡ１〜Ａ１４が膨張し、第２位置に切り換わるとその連通路が閉成されて各エアバッグＡ１〜Ａ１４が膨張した状態に維持され、第３位置に切り換わると各エアバッグＡ１〜Ａ１４は外気に連通されて各エアバッグＡ１〜Ａ１４の排気が行われて各エアバッグＡ１〜Ａ１４は収縮していくようになっている。
【００２２】
そして、ポンプ２１と電磁弁Ｖ１〜Ｖ１４が図１に示す駆動部２０Ａに配置され、制御装置２２と図示しない電源回路等が制御部２０Ｂに配置されている。
［動  作］
次に、上記のように構成されるエアマッサージ装置１０の動作について説明する。なお、全てのエアーバッグＡ１〜Ａ１４は収縮されており、各電磁弁Ｖ１〜Ｖ１４は第３位置に切り換わっていて各エアーバッグＡ１〜Ａ１４は外気に連通されているものとする。
【００２３】
先ず、リモコン装置３０のモードスイッチ（図示せず）を操作して例えば腰施療モードを設定してスタートスイッチ（図示せず）を押すと、ポンプ２１が駆動されるとともに電磁弁Ｖ５,Ｖ６が制御装置２２により制御されて第１位置に切り換えられる。電磁弁Ｖ５,Ｖ６の第１位置への切り換えにより図４に示すようにエアーバッグＡ５,Ａ６が膨張されていく。このエアーバッグＡ５,Ａ６の膨張により、腰Ｋが鎖線で示す位置へ上げられて図１０に示したように使用者１２の背中Ｓが少し反る状態となる。
【００２４】
エアーバッグＡ５,Ａ６が所定時間膨張されると、電磁弁Ｖ５,Ｖ６は第２位置に切り換えられてエアーバッグＡ５,Ａ６の膨張が停止されるとともにその膨張が維持される。
【００２５】
そして、電磁弁Ｖ１１〜Ｖ１４が制御装置２２により制御されて第１位置に切り換えられる。電磁弁Ｖ１１〜Ｖ１４の第１位置への切り換えにより図５に示すようにエアーバッグＡ１１〜Ａ１４が膨張されていき、腰Ｋはさらに鎖線で示す位置へ持ち上がられて図１１に示すように使用者１２の背中Ｓは大きく反っていき、背筋は延ばされていく。
【００２６】
この際、エアバッグＡ１２，Ａ１３は図１０，図１１に示したようにエアバッグＡ５，Ａ６の中心より臀部Ｄ側に、即ち腰Ｋより臀部Ｄ側の部分ＫＤに対応しているので、腰Ｋを無理なく上方に大きく持ち上げることができる。
【００２７】
エアーバッグＡ１１〜Ａ１４が所定時間膨張されると、電磁弁Ｖ１１〜Ｖ１４は第２位置に切り換えられてエアーバッグＡ１１〜Ａ１４の膨張が停止されるとともにその膨張が維持される。
【００２８】
次いで、電磁弁Ｖ２が制御装置２２により制御されて第１位置に切り換えられる。電磁弁Ｖ２の第１位置への切り換えにより図６に示すようにエアーバッグＡ２が膨張されていき、腰Ｋはさらに鎖線で示す位置へ持ち上げられて背中はさらに大きく反っていき、背筋が大きく延ばされていく。
【００２９】
エアーバッグＡ２が所定時間膨張されると、電磁弁Ｖ２は第２位置に切り換えられてエアーバッグＡ２の膨張が停止されるとともにその膨張が維持される。
【００３０】
このように、エアーバッグＡ５,Ａ６,Ａ１１〜Ａ１４,Ａ２が順番に膨張されていくので、腰Ｋをゆっくりと高く持ち上げていくことができ、このため背筋を徐々に大きく延ばすことができ、十分なストレッチ感を得ることができる。
【００３１】
エアーバッグＡ２の膨張が所定時間維持されると、電磁弁Ｖ２が第３位置に切り換えられてエアーバッグＡ２が収縮され、この後電磁弁Ｖ５,Ｖ６が第３位置に切り換えられてエアーバッグＡ５,Ａ６が収縮されていく。そして、電磁弁Ｖ１１〜Ｖ１４が第３位置に切り換えられてエアーバッグＡ１１〜Ａ１４が収縮されていく。
【００３２】
このエアーバッグの収縮の際、エアーバッグＡ１１〜Ａ１４が最後まで膨張しているので、腰が膨張しているエアーバッグＡ１１〜Ａ１４により保持されることになり、このためその収縮の際に体が横へズレ落ちてしまうことがない。
【００３３】
次に、捻りモードが設定された場合について説明する。
【００３４】
リモコン装置３０により捻りモードが設定されると、電磁弁Ｖ１１〜Ｖ１４が制御装置２２により制御されて第１位置に切り換えられる。電磁弁Ｖ１１〜Ｖ１４の第１位置への切り換えにより図７に示すようにエアーバッグＡ１１〜Ａ１４が膨張されていく。このエアーバッグＡ１１〜Ａ１４の膨張により、腰が所定位置に保持される状態となる。
【００３５】
エアーバッグＡ１１〜Ａ１４が所定時間膨張されると、電磁弁Ｖ１１〜Ｖ１４は第２位置に切り換えられてエアーバッグＡ１１〜Ａ１４の膨張が停止されるとともにその膨張が維持される。
【００３６】
次いで、電磁弁Ｖ６が制御装置２２により制御されて第１位置に切り換えられて、図８に示すようにエアーバッグＡ６が膨張されていく。このエアーバッグＡ６の膨張により体が捻られていく。エアーバッグＡ６が所定時間膨張されると、電磁弁Ｖ６が第３位置に切り換えられてエアーバッグＡ６が収縮されていき、体が元の状態に戻されていく。
【００３７】
エアーバッグＡ６が収縮されると電磁弁Ｖ５が第１位置に切り換えられて図９に示すようにエアーバッグＡ５が膨張されていく。このエアーバッグＡ５の膨張により上記と逆方向に体が捻られていく。エアーバッグＡ５が所定時間膨張されると、電磁弁Ｖ５が第３位置に切り換えられてエアーバッグＡ５が収縮されていき、体が元の状態に戻されていく。
【００３８】
そして、これら動作が繰り返し行われていく。すなわち、エアーバッグＡ６,Ａ５が交互に膨縮されていき、このエアーバッグＡ６,Ａ５の膨縮により体が交互に捻られて、ストレッチが行われていく。体が捻られる際、膨張を維持しているエアーバッグＡ１１〜Ａ１４により腰が保持されているので、エアバッグＡ６（Ａ５）の膨張によって体が横へズレてしまうことが防止され、体を確実に捻ることができ、ストレッチを確実に行うことができる。
【００３９】
エアーバッグＡ６,Ａ５の膨縮が所定回数行われると、最後に膨張したエアーバッグＡ５（Ａ６）が収縮されていき、この後エアーバッグＡ１１〜Ａ１４が収縮されて捻りモードは終了する。
【００４０】
このように、エアーバッグＡ１１〜Ａ１４が最後まで膨張しているので、体が横にズレてしまうことがない。
【００４１】
以上説明したように、この発明の実施の形態のエアマッサージ装置は、マット本体１１と、使用者の背筋に沿うように前記マット本体１１の左右中央上に細長く延設された背筋エアバッグ（エアバッグＡ２）と、前記使用者の腰に対応するように前記背筋エアバッグ（エアバッグＡ２）の中心線Ｌの左右に対称に配設された一対の大きな腰大エアバッグ（エアバッグＡ５，Ａ６）と、前記左右の腰大エアバッグ（エアバッグＡ５，Ａ６）の上にそれぞれ重ねられ且つその腰大エアバッグ（エアバッグＡ５，Ａ６）より小さい左右の腰小エアバッグ（エアバッグＡ１１〜Ａ１４）と、前記各エアバッグ（Ａ２，Ａ５，Ａ６，Ａ１１〜Ａ１４）にエアを給排気する給排気手段（給排気装置２０）を備えている。しかも、前記背筋エアバッグ（エアバッグＡ２）は、前記左右の腰大エアバッグ（エアバッグＡ５，Ａ６）の対向端部及び前記左右の腰小エアバッグ（エアバッグＡ１１〜Ａ１４）の対向端部上に３段になるように重ねられている。
【００４２】
この構成によれば、左右の腰大エアバッグ（エアバッグＡ５，Ａ６）を膨張させることで、左右の腰大エアバッグ（エアバッグＡ５，Ａ６）により使用者の腰をある程度持ち上げることができ、更に左右の腰小エアバッグ（エアバッグＡ１１〜Ａ１４）を膨張させることで、使用者の腰を更に持ち上げることができる。これにより、腰をマッサージするときに背筋に無理なく腰を大きく持ち上げることができるので、マッサージ効果が増大する。
【００４３】
しかも、複数のエアバッグを単に重ねて膨張・収縮させるようにした場合、複数のエアバッグを膨張させたときに腰を高く持ち上げることができるが、腰が持ち上げられ過ぎて首に負担がかかる。しかし、上述したように前記背筋エアバッグ（エアバッグＡ２）が前記左右の腰大エアバッグ（エアバッグＡ５，Ａ６）の対向端部及び前記左右の腰小エアバッグ（エアバッグＡ１１〜Ａ１４）の対向端部上に３段になるように重ねられている構成とすることにより、首に負担がかからない状態で腰をある程度高く持ちあげることができるので、好ましいマッサージができる。
【００４４】
また、この発明の実施の形態のエアマッサージ装置の前記左右の腰小エアバッグ（エアバッグＡ１１〜Ａ１４）はそれぞれ背筋用のエアバッグＡ２の長手方向に複数並設されている。
【００４５】
この構成によれば、腰をマッサージするときにさらに背筋に無理なく腰を大きく持ち上げることができる。
【００４６】
更に、この発明の実施の形態のエアマッサージ装置は、前記左右の腰小エアバッグは中心線が使用者の臀部側にずれて配置されている。
【００４７】
この構成によれば、腰に負担をかけることなく腰を大きく持ち上げることができる。
【図面の簡単な説明】
【００４８】
【図１】この発明に係るマッサージ方法を実施するためのマット式のエアマッサージ装置の概略平面図である。
【図２】図１のエアバッグを矢印Ｂ方向に見た説明図である。
【図３】図１に示したエアマッサージ装置の制御回路図である。
【図４】図１に示した腰マッサージ用のエアバッグの作用説明図である。
【図５】図１に示した腰マッサージ用のエアバッグの作用説明図である。
【図６】図１に示した腰マッサージ用のエアバッグの作用説明図である。
【図７】図１に示した腰マッサージ用のエアバッグの作用説明図である。
【図８】図１に示した腰マッサージ用のエアバッグの作用説明図である。
【図９】図１に示した腰マッサージ用のエアバッグの作用説明図である。
【図１０】図１に示したエアバッグの使用状態を示す概略側面図である。
【図１１】図１に示したエアバッグの使用状態を示す概略側面図である。
【符号の説明】
【００４９】
１１…マット本体
２０…給排気装置（給排気手段）
Ａ２…エアバッグ（背筋用のエアバッグ）
Ａ５，Ａ６…エアバッグ（腰大エアバッグ）
Ａ１１〜Ａ１４…エアバッグ（腰小エアバッグ）
【図１】
2005168954.tif 000003
【図２】
2005168954.tif 000004
【図３】
2005168954.tif 000005
【図４】
2005168954.tif 000006
【図５】
2005168954.tif 000007
【図６】
2005168954.tif 000008
【図７】
2005168954.tif 000009
【図８】
2005168954.tif 000010
【図９】
2005168954.tif 000011
【図１０】
2005168954.tif 000012
【図１１】
2005168954.tif 000013